(57)【要約】【課題】より容易にユーザーが所望の画像データを選択することのできる表示システム、表示制御装置及び表示制御方法を提供する。【解決手段】表示システムは、制御部と、表示画面を有し前記制御部による制御に基づいて当該表示画面に表示を行う表示部と、を備える。制御部は、複数の異なるタイミングで順番に取得されたＸ線による連続画像に係るサムネイルを前記表示画面に表示させる場合における前記サムネイルとして、前記連続画像について予め定められた設定に応じた画像を選択し、サムネイルには、前記連続画像の先頭画像以外のものが含まれる。【選択図】図２
2020160369.tif 000002
【特許請求の範囲】
【請求項１】
制御部と、
表示画面を有し、前記制御部による制御に基づいて当該表示画面に表示を行う表示部と、
を備え、
前記制御部は、複数の異なるタイミングで順番に取得されたＸ線による連続画像に係るサムネイルを前記表示画面に表示させる場合における前記サムネイルとして、前記連続画像について予め定められた設定に応じた画像を選択し、
前記サムネイルには、前記連続画像の先頭画像以外のものが含まれる
ことを特徴とする表示システム。
【請求項２】
前記サムネイルとして選択される画像には、前記連続画像の解析結果に係るグラフの表示画像が含まれることを特徴とする請求項１記載の表示システム。
【請求項３】
前記表示画面には、複数の前記サムネイルを表示可能であり、
前記制御部は、所定の外部命令が取得された場合に、前記表示部に表示させる全ての前記サムネイルを前記設定に応じて再選択する
ことを特徴とする請求項１又は２記載の表示システム。
【請求項４】
入力操作を受け付ける操作受付部を備え、
前記制御部は、前記操作受付部が受け付けた入力操作に基づいて前記外部命令を取得する
ことを特徴とする請求項３記載の表示システム。
【請求項５】
前記設定は、前記連続画像の種別に応じて定められていることを特徴とする請求項１〜４のいずれか一項に記載の表示システム。
【請求項６】
前記制御部は、前記設定に応じて前記連続画像から複数のタイミングの画像を選択し、当該複数のタイミングの画像を順番につないだ動画を前記サムネイルとすることを特徴とする請求項１〜５のいずれか一項に記載の表示システム。
【請求項７】
前記連続画像は、被験者の胸部の撮影画像であり、
前記設定に基づいて選択される画像には、呼吸時における最大呼気の状態、最大吸気の状態、並びに最大呼気の状態及び最大吸気の状態の間における所定の中間状態のうち少なくともいずれかのタイミングにおける画像を含む
ことを特徴とする請求項１〜６のいずれか一項に記載の表示システム。
【請求項８】
入力操作を受け付ける操作受付部を備え、
前記制御部は、前記入力操作に応じて前記表示画面内で前記サムネイルがポインターにより指示されている場合に、当該サムネイルに係る前記連続画像を表示させる
ことを特徴とする請求項１〜７のいずれか一項に記載の表示システム。
【請求項９】
選択された前記サムネイルを記憶する記憶部を備えることを特徴とする請求項１〜８のいずれか一項に記載の表示システム。
【請求項１０】
制御部を備え、
前記制御部は、複数の異なるタイミングで順番に取得されたＸ線による連続画像に係るサムネイルを表示部の表示画面に表示させる場合における前記サムネイルとして、前記連続画像について予め定められた設定に応じた画像を選択し、
前記サムネイルには、前記連続画像の先頭画像以外のものが含まれる
ことを特徴とする表示制御装置。
【請求項１１】
表示画面を有し、当該表示画面に表示を行う表示部の表示制御方法であって、
外部命令を取得する取得ステップ、
複数の異なるタイミングで順番に取得されたＸ線による連続画像に係るサムネイルを前記表示画面に表示させる場合における前記サムネイルとして、前記連続画像について予め定められた設定に応じた画像を選択する選択ステップ、
を含み、
前記サムネイルには、前記連続画像の先頭画像以外のものが含まれる
ことを特徴とする表示制御方法。
【発明の詳細な説明】
【技術分野】
【０００１】
この発明は、表示システム、表示制御装置及び表示制御方法に関する。
【背景技術】
【０００２】
撮影された生体の医療画像を診断用途などで表示することのできるコンピューターがある。医療画像には、Ｘ線を用いた画像が含まれる。近年、Ｘ線画像において、単独の静止画像による解析、診断だけではなく、呼吸時の肺の伸縮及び血管の移動といった撮影対象部位の変動を連続的に撮影して解析する動態解析がなされている。
【０００３】
連続する複数の画像及び動画といった連続画像データでは、通常、診断に重要な画像が当該連続画像データの途中に存在する。これに対し、連続画像中の所望の画像位置に栞を設定し、容易に必要な画像を読み出しやすくする技術がある（特許文献１）。また、過去の画像データに対応付けられた小型のサムネイルを配列表示させ、選択されたサムネイルに対応する画像データを読み出す構成がしばしば用いられている。
【先行技術文献】
【特許文献】
【０００４】
【特許文献１】特開２００５−４０２２３号公報
【発明の概要】
【発明が解決しようとする課題】
【０００５】
しかしながら、連続画像や動画の画像データでは、通常、先頭の画像がサムネイルの画像として設定されている。したがって、どのサムネイルが必要な画像データに対応付けられているのかを容易に判別することができず、必要な画像データを選択して見られるようにするまでに手間を要する場合があるという課題がある。
【０００６】
この発明の目的は、より容易にユーザーが所望の画像データを選択することのできる表示システム、表示制御装置及び表示制御方法を提供することにある。
【課題を解決するための手段】
【０００７】
上記目的を達成するため、請求項１記載の発明は、
制御部と、
表示画面を有し、前記制御部による制御に基づいて当該表示画面に表示を行う表示部と、
を備え、
前記制御部は、複数の異なるタイミングで順番に取得されたＸ線による連続画像に係るサムネイルを前記表示画面に表示させる場合における前記サムネイルとして、前記連続画像について予め定められた設定に応じた画像を選択し、
前記サムネイルには、前記連続画像の先頭画像以外のものが含まれる
ことを特徴とする表示システムである。
【０００８】
また、請求項２記載の発明は、請求項１記載の表示システムにおいて、
前記サムネイルとして選択される画像には、前記連続画像の解析結果に係るグラフの表示画像が含まれることを特徴とする。
【０００９】
また、請求項３記載の発明は、請求項１又は２記載の表示システムにおいて、
前記表示画面には、複数の前記サムネイルを表示可能であり、
前記制御部は、所定の外部命令が取得された場合に、前記表示部に表示させる全ての前記サムネイルを前記設定に応じて再選択する
ことを特徴とする。
【００１０】
また、請求項４記載の発明は、請求項３記載の表示システムにおいて、
入力操作を受け付ける操作受付部を備え、
前記制御部は、前記操作受付部が受け付けた入力操作に基づいて前記外部命令を取得する
ことを特徴とする。
【００１１】
また、請求項５記載の発明は、請求項１〜４のいずれか一項に記載の表示システムにおいて、
前記設定は、前記連続画像の種別に応じて定められていることを特徴とする。
【００１２】
また、請求項６記載の発明は、請求項１〜５のいずれか一項に記載の表示システムにおいて、
前記制御部は、前記設定に応じて前記連続画像から複数のタイミングの画像を選択し、当該複数のタイミングの画像を順番につないだ動画を前記サムネイルとすることを特徴とする。
【００１３】
また、請求項７記載の発明は、請求項１〜６のいずれか一項に記載の表示システムにおいて、
前記連続画像は、被験者の胸部の撮影画像であり、
前記設定に基づいて選択される画像には、呼吸時における最大呼気の状態、最大吸気の状態、並びに最大呼気の状態及び最大吸気の状態の間における所定の中間状態のうち少なくともいずれかのタイミングにおける画像を含む
ことを特徴とする。
【００１４】
また、請求項８記載の発明は、請求項１〜７のいずれか一項に記載の表示システムにおいて、
入力操作を受け付ける操作受付部を備え、
前記制御部は、前記入力操作に応じて前記表示画面内で前記サムネイルがポインターにより指示されている場合に、当該サムネイルに係る前記連続画像を表示させる
ことを特徴とする。
【００１５】
また、請求項９記載の発明は、請求項１〜８のいずれか一項に記載の表示システムにおいて、
選択された前記サムネイルを記憶する記憶部を備えることを特徴とする。
【００１６】
また、請求項１０記載の発明は、
制御部を備え、
前記制御部は、複数の異なるタイミングで順番に取得されたＸ線による連続画像に係るサムネイルを表示部の表示画面に表示させる場合における前記サムネイルとして、前記連続画像について予め定められた設定に応じた画像を選択し、
前記サムネイルには、前記連続画像の先頭画像以外のものが含まれる
ことを特徴とする表示制御装置である。
【００１７】
また、請求項１１記載の発明は、
表示画面を有し、当該表示画面に表示を行う表示部の表示制御方法であって、
外部命令を取得する取得ステップ、
複数の異なるタイミングで順番に取得されたＸ線による連続画像に係るサムネイルを前記表示画面に表示させる場合における前記サムネイルとして、前記連続画像について予め定められた設定に応じた画像を選択する選択ステップ、
を含み、
前記サムネイルには、前記連続画像の先頭画像以外のものが含まれる
ことを特徴とする。
【発明の効果】
【００１８】
本発明に従うと、より容易にユーザーが所望の画像データを選択することができるという効果がある。
【図面の簡単な説明】
【００１９】
【図１】表示システムの機能構成を示すブロック図である。
【図２】リスト表示画面の例を示す図である。
【図３】リスト表示画面における他の表示例を示す図である。
【図４】保持する画像データについて説明する図表である。
【図５】サムネイルの選択に係るプリセットについて説明する図表である。
【図６】リスト表示制御処理の制御手順を示すフローチャートである。
【図７】リスト表示画面の他の例を示す図である。
【発明を実施するための形態】
【００２０】
以下、本発明の実施の形態を図面に基づいて説明する。
図１は、本実施形態の表示制御装置であるコンピューター１０を含む表示システム１の機能構成を示すブロック図である。
【００２１】
表示システム１は、コンピューター１０と、動画撮影装置２０とを含み、これらがネットワーク接続されている。ネットワークは、ＬＡＮ（Local Area Network）を介した有線接続であってもよいし、無線ＬＡＮなどによる無線接続であってもよい。また、ネットワーク内にはハブ及び／又はルーターなどが含まれて、これらを介してデータの送受信がなされてもよい。表示システム１は、病院情報システム（Hospital Information System）、及び／又は放射線科情報システム（Radiology Information System）の一部であってもよい。
【００２２】
動画撮影装置２０（モダリティともいう）は、医療診断に用いられる各種画像、ここでは、Ｘ線により撮影された被験者の肺（胸部）の画像（Ｘ線画像）を連続的に取得する。複数の異なるタイミングで順番に撮影（取得）、配列されたＸ線画像（連続画像）のデータは、静止画像データの組であってもよいし、動画データであってもよい。ここでいう連続画像の撮影間隔は、撮影部位の変化、例えば、肺の撮影では、呼吸の周期に応じた時間スケールより短い間隔であれば、一般的に規定されている動画のフレーム間隔より広くてもよく、必ずしも全て等間隔でなくてもよい。
【００２３】
動画撮影装置２０は、図示略の制御部を有し、取得された画像データに対してＤＩＣＯＭ（Digital Imaging and Communications in Medicine）の規格に基づいてタグを用いて記述された識別情報（撮影機器、撮影日時、撮影対象、撮影条件など）や付帯情報などを含むヘッダーを生成する。動画撮影装置２０は、また、撮影されたＸ線画像データを制御部が解析して、時間的に隣り合う撮影データ間の差分データを取得したり、取得された画像のうち所定のタイミングのものに標識付けしたりすることができる。肺の画像では、被験者の呼吸に応じて周期的な伸縮が生じるので、最も収縮した最大呼気のタイミングと最も拡張した最大吸気のタイミングとが特定される。また、例えば、これらの最大呼気と最大吸気の時間的に中央のタイミングが中間タイミングとして設定されてよい。
【００２４】
なお、動画撮影装置２０で解析、標識付けされるのではなく、動画撮影装置２０とは別の画像解析装置を別途備えて、動画撮影装置２０から出力された画像データが当該画像解析装置で解析及び標識付けされてもよい。取得及び標識付けがなされた画像データは、コンピューター１０に送信される。
【００２５】
コンピューター１０は、制御部１１と、通信部１２と、記憶部１３と、操作受付部１４と、表示部１５などを備える。コンピューター１０は、通常のＰＣ（Personal Computer）であってよく、あるいは、医療画像の処理に係る専用のハードウェア構成を備える処理装置であってもよい。
【００２６】
制御部１１は、ＣＰＵ（Central Processing Unit）及びＲＡＭ（Random Access Memory）などを備え、コンピューター１０の動作を統括制御するプロセッサーである。制御部１１は、記憶部１３に記憶されたプログラムを読み込んで実行することで、画像データの選択及び表示、並びに診断内容に係る所見の入力及び表示などが可能である。また、制御部１１は、入力された画像データを再度解析処理することができる。
【００２７】
通信部１２は、上記ネットワークに接続されて、所定の通信規格に従ってコンピューター１０と外部との通信を制御する。通信規格としては、例えば、上記ＬＡＮに係るＴＣＰ／ＩＰ（Transmission Control Protocol / Internet Protocol）などであり、これらに応じたネットワークカードなどを有している。
【００２８】
記憶部１３は、ＨＤＤ（Hard Disk Drive）及び／又はフラッシュメモリーなどの不揮発性の補助記憶装置を有し、プログラム、設定データ及び撮影データなどを記憶する。記憶部１３には、一時的に大容量の画像データ及び／又はその処理データなどを記憶するための揮発性メモリー（ＲＡＭ）などを有していてもよい。
【００２９】
記憶部１３に記憶されるデータには、例えば、診断情報１３１、撮影データ１３２及びプリセットデータ１３３（予め定められた設定）などが含まれる。診断情報１３１は、撮影、取得された画像データに被験者に係る情報を含む。被験者のＩＤなどにより、撮影データ１３２との対応付けがなされる。撮影データ１３２は、動画撮影装置２０から取得された画像（Ｘ線画像）データを含む。なお、診断情報１３１及び撮影データ１３２は、それぞれ別個の又は同一のデータベース装置の記憶部に記憶されていて、必要に応じて読み出され、一時記憶されてもよい。データベース装置又はコンピューター１０は、画像保存通信システム（Picture Archiving and Communication System；PACS）の一部であってもよい。プリセットデータ１３３は、後述のように連続画像に対するサムネイルとして適切な当該連続画像中のタイミングに係る設定データである。
【００３０】
操作受付部１４は、ユーザーなどによる外部からの入力操作を受け付けて、制御部１１に入力信号として出力する。操作受付部１４は、例えば、キーボードの押下操作、マウスのポイント、クリック、ホイールの回転操作など、及び／又はタッチパネルのタッチ、ドラッグなどの入力操作を受け付ける。
【００３１】
表示部１５は、デジタル表示画面、例えば、液晶表示画面（ＬＣＤ）などを有し、制御部１１の制御に基づいて当該デジタル表示画面への表示動作を行う。
【００３２】
次に、肺を対象とする胸部の連続画像の種別（画像モード）について説明する。連続画像の撮影では、通常に撮影された画像から、注目部位に応じて、注目部位以外の表示を減衰させたり、注目部位を強調表示させたりすることができる。例えば、肺と、肺の周囲の組織、例えば、骨などとの間での呼吸に応じた変動特性の違いに基づいて、骨の表示を選択的に薄める処理などを行うことができる（ＢＳモード（Bone Suppression））。反対に、変動特性の違いに応じて特定の部位の表示を強める処理を行ってもよい（Ｅモード（Enhanced））。
【００３３】
また、肺では、呼吸の状態に応じて肺が伸縮（拡張／収縮）する。このとき、肺の各組織（特定の位置、例えば、左右の上端である肺尖部及び下端である横隔膜部）の移動の状態（移動量及び移動速度）を追跡することができる（Ｄモード（Diaphragm））。また、肺組織の所定状態からの変動量を求めることもできる（Ｖモード）。所定状態としては、例えば、最大呼気の状態などとされる。また、肺組織だけでなく、肺血管の所定状態からの差分を求めるなども可能である（Ｐモード）。この場合、所定状態としては、最大吸気の状態など、呼吸動作内の変動を見る場合の他、心拍といった他の計測結果と連携させて所定状態が定められてもよい。
【００３４】
次に、本実施形態のコンピューター１０における撮影画像の表示について説明する。
図２は、リスト表示画面の例を示す図である。
リスト表示画面Ｄにおいて、ここでは、全ての患者のリストが検査リストウインドウＤ１１に表示されている。検査リストウインドウＤ１１には、患者ＩＤ、氏名、生年月日、年齢、性別などが表示されている。ここでは、このうち患者ＩＤ「１２０１２０００２」の患者が選択されており、この患者を被験者とする撮影画像のうち、検索フォルダーウインドウＤ１２で設定されている「全て」の撮影画像のサムネイルＳが下方のサムネイルウインドウＤ１３に配列されて表示されている。サムネイルＳは、本来の画像に比して解像度を低下させたものであってよい。一度設定されたサムネイルＳの画像データは、記憶部１３に記憶保持されてよい。
【００３５】
このサムネイルＳは、各連続画像の先頭の画像以外のものが含まれてよく、どのタイミングのものが表示されるかが切り替え可能となっている。画像の種別（モード）ごとに診断に重要なタイミングは概ね定まっているので（上述の最大呼気の状態、最大吸気の状態又は中間状態など）、これらのタイミングは、プリセットデータ１３３にプリセット１〜プリセット３として各々定められている。これらのプリセット内では、それぞれ、画像の種別に応じて適切なタイミングが規定されていてもよいし、画像の種別を問わずに同一のタイミングが規定されるものがあってもよい。これらプリセット１〜プリセット３に各々対応付けられたプリセット選択ボタンＢがユーザーによるポインターの操作によって選択される（マウスの移動及びクリック操作など、操作受付部１４が受け付ける入力操作）ことで外部命令が取得されて、プリセットデータ１３３においてこの外部命令に応じたプリセット設定により定められたタイミングが特定され、当該タイミングに係る画像のサムネイルＳが選択、表示される。ここでは、４枚のサムネイルＳが表示されているので、プリセットの設定（ここでは、プリセット２）に係る外部命令が取得されると、当該４枚（表示される全て）のサムネイルＳがプリセットデータ１３３に基づいて再選択される。また、このサムネイルＳは、必ずしも連続画像のうち１枚が選択された静止画像である必要はない。複数のタイミングの画像が順番につながれて所定の時間間隔で切り替えられる動画などであってもよい。
【００３６】
図３は、リスト表示画面における他の表示例を示す図である。
図３（ａ）に示すように、サムネイルは、さらに、連続画像のうちのいずれかの画像ではなく、当該連続画像の解析結果、例えばグラフ表示画像などであってもよい。ここでは、サムネイルＳａとしてグラフ表示画像が含まれている。医師などのユーザーにとっては、通常、グラフ内容と撮影された連続画像の種別との対応関係が周知であり、グラフ表示画像をサムネイルにより表すことで、いずれの種別の連続画像であるかを容易に認識することができる。
【００３７】
図３（ｂ）に示すように、いずれかのサムネイル上にポインターＰを配置することで、当該ポインターＰにより指示されたサムネイルＳｂに対応する連続画像Ｍを拡大表示させることができてもよい。
【００３８】
図４は、保持する画像データについて説明する図表である。
撮影データ１３２には、一の検査に係る固有のＩＤ（検査ＩＤ：1234.567.890.12345）に係る一連の内容ごとにシリーズＩＤが付された処理画像や解析データなどが保持されている。ここでは、シリーズＩＤが「1234.567.890.12345.1」のオリジナル画像のデータに対し、シリーズＩＤの末尾の数字が一つずつ増加しながら、当該オリジナル画像のデータを処理したＶモード、Ｐモード、ＢＳモード、Ｅモード、Ｄモードの各画像のデータに割り当てられている。ここでは、例えば、Ｖモードのデータが現在処理中（再処理中であってよい）であり、その他のモードについては、処理済となっている。
【００３９】
図５は、サムネイルの選択に係るプリセットについて説明する図表である。
プリセットは、ユーザーが明示的に選択指定（手動指定）する場合と、保持されている画像のデータ種別に応じて自動的に指定される場合とがある。この指定方法は、別途設定画面などからユーザーが定める命令（外部命令）を入力可能である。あるいは、初期起動時には自動指定されて、その後ユーザーが任意に手動で切り替え指定する命令を入力可能であってもよい。図５（ａ）には、自動的に指定される場合の指定条件を示す図表を示す。オリジナル画像に加えて、当該オリジナル画像に対するＶモード、Ｐモード、ＢＳモード、Ｅモード、及びＤモードの全ての画像が保持されている場合には、プリセット番号「３」が選択される。上記６種類のうちＤモード以外の少なくともいずれかがない場合にはプリセット番号「２」が選択される。プリセット番号「２」、「３」のいずれも選択されない場合、すなわち、Ｄモード画像がない場合には、プリセット番号「１」が選択される。
【００４０】
図５（ｂ）は、プリセット番号に応じた各画像のサムネイルの表示順と、サムネイルとされる画像の選択基準について示す図表である。プリセット番号が「１」、「２」の場合には、サムネイルの表示順は、例えば、シリーズＩＤ（“ＳＥＲＩＥＳ＿ＩＤ”）により定められる。一方、プリセット番号が「３」の場合には、固定的に、オリジナルの画像、グラフ１、グラフ２の順で表示がなされる。ここでは、例えば、グラフ１がＤモードの解析画像であり、グラフ２がＰモードにおける解析画像である。これらの各プリセットにおいて、選択されるサムネイルの画像は、上述のように定められる。すなわち、サムネイルとして適切なタイミングは、プリセットデータ１３３として予め保持されており、ユーザーの希望などに応じて選択切り替えが可能である。
【００４１】
表示ＩＤは、各連続画像の種別に対してサムネイルとして選択される画像を示す。図５（ｃ）に示すように、オリジナルの連続画像では、通常通り先頭の画像がサムネイルの画像として選択される。これに対し、Ｖモード及びＰモードでは、最大呼気の状態を示すタイミングの画像をサムネイルとして選択する。Ｄモード画像では、当該Ｄモードによる撮影画像に基づいて得られるグラフ（グラフ１）がサムネイルとされる。
【００４２】
図５（ｂ）及び図５（ｃ）に示した図表の内容は、プリセットの指定が手動か自動かによらない。すなわち、手動で指定されたプリセット番号に対し、各図面の表示順及びサムネイルとして選択される図面の選択は、図５（ｂ）、（ｃ）に基づいて行われる。
【００４３】
図６は、コンピューター１０により実行されるリスト表示制御処理の制御部１１による制御手順を示すフローチャートである。本実施形態の表示制御処理を含むこの処理は、患者（被験者）の医療用診断画像（ここではＸ線画像）のリスト表示命令が呼び出された場合に起動される。この処理は、他の処理から呼び出される子プロセスであってもよい。
【００４４】
リスト表示制御処理が開始されると、制御部１１は、患者（被験者）のリストを検索して、当該患者（被験者）の一覧データを取得する（ステップＳ１０１）。制御部１１は、取得された患者を表示画面にリスト表示させる命令を表示部１５に出力する（ステップＳ１０２）。
【００４５】
制御部１１は、操作受付部１４により入力操作が受け付けられたか否かを判別する（ステップＳ１０３）。入力操作が受け付けられていないと判別された場合には（ステップＳ１０３で“ＮＯ”）、制御部１１は、ステップＳ１０３の処理を繰り返す。入力操作が受け付けられたと判別された場合には（ステップＳ１０３で“ＹＥＳ”）、制御部１１は、操作内容がリスト更新の命令であるか否かを判別する（ステップＳ１０４）。リスト更新命令であると判別された場合には（ステップＳ１０４で“ＹＥＳ”）、制御部１１の処理は、ステップＳ１０１に戻る。
【００４６】
操作内容がリスト更新ではないと判別された場合には（ステップＳ１０４で“ＮＯ”）、制御部１１は、入力操作が被験者（患者）の選択操作又は当該選択されている被験者の検査画像に係る検索フォルダーの選択命令であるか否かを判別する（ステップＳ１０５）。いずれでもないと判別された場合には（ステップＳ１０５で“ＮＯ”）、制御部１１は、入力操作の内容に応じたその他の処理（リスト表示制御処理の終了命令を含む）を実行する。
【００４７】
入力操作が表示リストからの被験者の選択操作又は当該被験者の検索画像に係る検索フォルダーの選択命令であると判別された場合には（ステップＳ１０５で“ＹＥＳ”）、制御部１１は、当該被験者の検査画像のうち選択されているフォルダーに該当するものを抽出し、抽出された画像中に連続撮影画像（動態解析画像）が含まれているか否かを判別する（ステップＳ１０６）。含まれていないと判別された場合には（ステップＳ１０６で“ＮＯ”）、制御部１１は、各静止画像のサムネイルを取得して、「ＳＥＲＩＥＳ＿ＩＤ」などでソートして表示順を定める（ステップＳ１２１）。それから、制御部１１の処理は、ステップＳ１１２に移行する。
【００４８】
連続撮影画像が含まれていると判別された場合には（ステップＳ１０６で“ＹＥＳ”）、制御部１１は、プリセットが手動指定とされているか否かを判別する（ステップＳ１０７）。手動指定ではない（自動指定である）と判別された場合には（ステップＳ１０７で“ＮＯ”）、制御部１１は、抽出されている連続撮影画像の種別に応じてプリセットの選択を行う（ステップＳ１０８）。それから、制御部１１の処理は、ステップＳ１０９へ移行する。手動指定であると判別された場合には（ステップＳ１０７で“ＹＥＳ”）、制御部１１の処理は、ステップＳ１０９へ移行する。
【００４９】
ステップＳ１０９の処理に移行すると、制御部１１は、設定されているプリセットの値に応じたサムネイルの設定を取得する（ステップＳ１０９；取得ステップ）。制御部１１は、設定に基づいて、サムネイルを表示する連続撮影画像と、その表示の順番を決定する（ステップＳ１１０）。制御部１１は、表示対象の連続撮影画像に係るサムネイルを選択して取得する（ステップＳ１１１；選択ステップ）。それから、制御部１１の処理は、ステップＳ１１２に移行する。
【００５０】
ステップＳ１１２の処理に移行すると、制御部１１は、設定された表示順で取得された画像をサムネイル表示させる命令を表示部１５に出力する（ステップＳ１１２）。それから、制御部１１の処理は、ステップＳ１０３に戻る。
【００５１】
図７は、リスト表示画面の他の例を示す図である。
上述のように、コンピューター１０では、制御部１１が画像データを再度解析することができる。また、画像解析装置が別途備えられ、画像データも他のデータベース装置に記憶されているような場合、リスト表示に並行して再度の解析処理が行われる場合がある。これらの処理は、ユーザーの手動命令によって行わせることも多い。このような場合には、図７（ａ）に示すように、サムネイル上に画像処理中である旨を表示させることとしてもよい。さらに、図７（ｂ）に示すように、画像処理が終了するまでの見込み時間を表示させることとしてもよい。一覧表示におけるサムネイル上にこのような表示を重ねることで、処理中に他の処理を進めながら、容易にユーザーに処理の進行状況を知得させることができる。また、処理の終了後に速やかに当該画像データに基づく診断などを開始することができる。
【００５２】
以上のように、本実施形態のコンピューター１０を含む表示システム１は、制御部１１と、表示画面を有し制御部１１による制御に基づいて当該表示画面に表示を行う表示部１５と、を備える。制御部１１は、複数の異なるタイミングで順番に取得されたＸ線による連続画像に係るサムネイルを表示画面に表示させる場合におけるサムネイルとして、連続画像について予め定められた設定に応じた画像を選択し、サムネイルには、連続画像の先頭画像以外のものが含まれる。
このように、表示内容を適切に示す画像を連続画像から抽出してサムネイルとすることで、より容易にユーザーが所望の画像データを選択して表示させることができる。このようなサムネイルの設定は、プリセットデータ１３３として予め設定保持され、表示システム１では、自動指定や手動指定に係る入力された命令などに応じて必要な設定が選択されるので、診断内容や画像種別などに応じて適切に切り替え設定が可能となる。
【００５３】
また、サムネイルとして選択される画像には、連続画像の解析結果に係るグラフの表示画像が含まれる。連続画像の種別と解析グラフとの対応関係は、画像に基づく診断を行うものであれば周知であるので、小さいサムネイルとして解析グラフの画像を表示させることでも、ユーザーに効率よく所望の画像の判別を行わせることが可能となる。
【００５４】
また、表示画面には、複数のサムネイルを配列して表示可能であり、制御部１１は、所定の外部命令が取得された場合に、表示部１５に表示させる全てのサムネイルを設定に応じて再選択する。すなわち、一度プリセットが選択されれば各種画像データのサムネイルが一括して再設定されて、変換表示されるので、より手間を低減させて効率的にサムネイルから必要な画像データの選択が可能になる。
【００５５】
また、表示システム１は、入力操作を受け付ける操作受付部１４を備え、制御部１１は、操作受付部１４が受け付けた入力操作に基づいて外部命令を取得する。すなわち、マウスなどの操作によって容易にプリセットが選択されるので、手間がかからずに効率的に必要な画像のサムネイルを表示させることができる。
【００５６】
また、プリセットは、連続画像の種別に応じて定められている。各種連続画像では、特徴的な画像が撮影されるタイミングが概ね定まっているので、種別に応じてプリセットを定めておくことで、選択肢を必要以上に増やさずに、効率よく必要な画像にサムネイルを切り替えることができる。
【００５７】
また、制御部１１は、プリセットに基づいて連続画像から複数のタイミングの画像を選択し、当該複数のタイミングの画像を順番につないだ動画をサムネイルとする。すなわち、サムネイルは静止画像である必要はない。動態解析では、連続画像中における各部の変化が注目されるので、どのような変化が注目されているかを示すように複数の画像の一部を抽出して順に表示させることで、ユーザーが所望の画像をより効率よく特定可能となる。
【００５８】
また、連続画像は、被験者の胸部（肺）の撮影画像であり、プリセットに基づいて選択される画像には、呼吸時における最大呼気の状態、最大吸気の状態、並びに最大呼気の状態及び最大吸気の状態の間における所定の中間状態のうち少なくともいずれかのタイミングにおける画像を含む。
胸部画像による動態解析では、呼吸に応じた肺及びその周囲の特定部位の移動、変形などの状況が重要な場合が多く、特に、空気を最も吸い込んだ状態及び最も吐き出した状態で顕著に差異が生じやすい。したがって、これらの状態をプリセットに含むことで、サムネイルが所望の画像であるか否かの判別をユーザーがより容易かつ確実に行いやすくなる。
【００５９】
また、制御部１１は、入力操作に応じて表示画面内でサムネイルがポインターにより指示されている場合に、当該サムネイルに係る連続画像を表示させる。上記のようにサムネイルの表示を適切に定めるのに加えて、更にマウス操作などによりポインター（矢印表示）をサムネイル上に位置させることで、当該サムネイルに対応する連続画像を拡大表示させることで、実際に選択を行わなくてもサムネイルにより選択しようとしている画像が正しいか否かを事前に確認することができるので、選択操作の誤りをより低減させて手間を減らすことができる。
【００６０】
また、表示システム１は、選択されたサムネイルを記憶する記憶部１３を備える。一度生成されたサムネイルを保持しておくことで、毎回サムネイルを生成する手間を省略し、制御部１１の負荷を低減し、また、リスト表示を行わせる際にサムネイルが表示されるまでのタイムラグを抑制することができる。
【００６１】
また、上述の制御部１１を備えるコンピューター１０により、表示内容を適切に示す画像を連続画像から抽出してサムネイルとすることができるので、より容易にユーザーが所望の画像データ、特に連続画像データを選択することできる。このようなサムネイルの設定は、プリセットデータ１３３として予め設定保持され、制御部１１が入力された命令に応じて必要な設定を選択するので、診断内容や画像種別などに応じて適切に切り替え設定が可能となる。
【００６２】
また、上述のサムネイルの表示設定に係る表示制御方法を用いることで、予め設定保持されたプリセットデータ１３３に応じてサムネイルをユーザーにとって好ましい連続画像の中途の適切なタイミングのものなどに切り替えて設定することができるので、より容易にユーザーが所望の画像データを選択することができる。
【００６３】
なお、本発明は、上記実施の形態に限られるものではなく、様々な変更が可能である。
例えば、操作受付部１４及び表示部１５は、コンピューター１０とは別個の端末装置が有するものであってよく、この場合、コンピューター１０は、通信部１２を介して操作受付部１４（端末装置）からの入力信号を受信し、表示部１５（端末装置）への出力信号を送信してもよい。
【００６４】
また、上記実施の形態では、プリセット１〜３が固定されているものとして説明したが、プリセットの内容自体が変更されてもよい。また、より多くのプリセットのうち、ユーザーが必要なものの選択ボタンのみを表示画面に表示させるようにカスタマイズすることが可能であってもよい。
【００６５】
また、上記実施の形態では、連続画像の種別に応じたプリセットと、解析結果のグラフ表示画像を表示させるプリセットとを例に挙げて説明したが、混在してもよい。また、サムネイルとして、選択されてた１枚の静止画像又は複数枚をつないだ動画を例に挙げて説明したが、複数枚を重ねて生成した１枚の合成画像であってもよい。
【００６６】
また、上記実施の形態では、全てのサムネイルをプリセットに応じて一括変換するものとして説明したが、ポインターによって指示されている画像のみをプリセットに応じて変換するなどが可能であってもよい。この場合、プリセット選択ボタンＢを用いずに選択メニューが一時的に呼び出されてプリセットの指定が可能とされてもよい。
【００６７】
また、上記実施の形態では、操作受付部１４が外部命令を受け付けるものとして説明したが、通信部１２を介して外部命令に係る情報が取得されてもよい。
【００６８】
また、上記実施の形態では、胸部（肺）の撮影画像を例に挙げて説明したが、その他の部位のＸ線撮影の動態解析に係る画像の表示にも用いられてよい。
その他、上記実施の形態で示した具体的な構成、表示内容、表示制御手順などの具体的な細部は、本発明の趣旨を逸脱しない範囲において適宜変更可能である。
【符号の説明】
【００６９】
１     表示システム
１０   コンピューター
１１   制御部
１２   通信部
１３   記憶部
１３１ 診断情報
１３２ 撮影データ
１３３ プリセットデータ
１４   操作受付部
１５   表示部
２０   動画撮影装置
【図１】
2020160369.tif 000003
【図２】
2020160369.tif 000004
【図３】
2020160369.tif 000005
【図４】
2020160369.tif 000006
【図５】
2020160369.tif 000007
【図６】
2020160369.tif 000008
【図７】
2020160369.tif 000009